(57)【要約】【課題】内容物の注出時に注出流量を過小にすることなく、どっと出を防止し、かつ内容液の詰め替え時の注入流量を大きくすること。【解決手段】容器１０において、容器本体１１に設けられるキャップ２０に内筒２３を設け、内筒２３の注ぎ出し側寄りで、側壁部４２と底部４３の境界領域に流通口４４を開口し、流通口４４が、底部４３の底面４３Ａと異なる面上に設けられ、かつ容器本体１１の正立状態で流通口４４の側壁部４２の側の縁Ｐａを底部４３側の縁Ｐｂよりも上位に位置付けるもの。【選択図】  図１
2004210355.tif 000002
【特許請求の範囲】
【請求項１】
容器本体に設けられるキャップに内筒を設け、該内筒は該容器本体の内壁面に沿って該容器本体の内部の側に張り出る側壁部と、該側壁部の張り出し端を塞ぐ底部とを有し、
該内筒の注ぎ出し側寄りで、該側壁部と該底部の境界領域に流通口を開口し、該流通口が、該底部の底面と異なる面上に設けられ、かつ容器本体の正立状態で該流通口の該側壁部の側の縁を該底部の側の縁よりも上位に位置付ける容器。
【発明の詳細な説明】
【０００１】
【発明の属する技術分野】
本発明は液体や粉体のための容器に関する。
【０００２】
【従来の技術】
特許文献１に記載の如く、容器本体に設けられるキャップが、容器本体の内部の側に張り出る内筒に流通口を設け、該内筒の流通口に連通して容器本体の外部の側に延びる注出筒を有するものがある。
【０００３】
【特許文献１】
特開２０００−１０３４４４（図１、［００１９］）
【０００４】
【発明が解決しようとする課題】
従来の容器では、液注出時に、粘度の低い内容液が一度にどっと出ることを防止するため、流通口の開口面積を小さくすると、注出液量が過小になるおそれがあるし、内容液の詰め替え時における詰め替え液の注入流量も過小になる。
【０００５】
特許文献１の容器では、内容液の詰め替え時に、内筒及び注出筒を取外し、詰め替え液の注入開口を広くしているが、その取外しに手間を要して使い勝手が悪い。
【０００６】
本発明の課題は、内容物の注出時に注出流量を過小にすることなく、どっと出を防止し、かつ内容液の詰め替え時の注入流量を大きくすることにある。
【０００７】
【課題を解決するための手段】
請求項１の発明は、容器本体に設けられるキャップに内筒を設け、該内筒は該容器本体の内壁面に沿って該容器本体の内部の側に張り出る側壁部と、該側壁部の張り出し端を塞ぐ底部とを有し、該内筒の注ぎ出し側寄りで、該側壁部と該底部の境界領域に流通口を開口し、該流通口が、該底部の底面と異なる面上に設けられ、かつ容器本体の正立状態で該流通口の該側壁部の側の縁を該底部の側の縁よりも上位に位置付ける容器である。
【０００８】
【発明の実施の形態】
（第１実施形態）（図１、図２）
洗剤容器等の容器１０は、図１（Ａ）に示す如く、容器本体１１にキャップ２０を被着したものである。キャップ２０は、容器本体１１の円形断面状（角形断面状でも可）の開口部１２に嵌着（又は螺着）等により取着されるキャップ本体２１と、キャップ本体２１に螺着（又は嵌着）等により着脱されるカバーキャップ２２を有する。カバーキャップ２２は、キャップ本体２１から注出される内容液を受けて計量する計量カップとして用いる。
【０００９】
キャップ２０は、キャップ本体２１の容器本体１１に取着される側（内側）に内筒２３を嵌着し、キャップ本体２１にカバーキャップ２２を被着した組立体とした形態で、内容液を充填した容器本体１１に被着して用いられる。
【００１０】
キャップ本体２１は、容器本体１１の開口部１２に取着される円形断面状（角形断面状でも可）の外筒部３１と、外筒部３１の上端部を塞ぐ天面部３２と、天面部３２の内周に続く円形断面状（角形断面状でも可）の内筒部３３と、天面部３２の上面に設けられてカバーキャップ２２が螺着されるねじ部３４と、内筒部３３に連設し、キャップ本体２１の内外を仕切る仕切り部３５と、仕切り部３５の略中央から内筒部３３に対する略同軸をなし、容器本体１１の外部の側に向けて上方に延びる円形断面状（角形断面状でも可）の注出筒３６を有する。
【００１１】
キャップ本体２１は、仕切り部３５に内容液を出し入れするための円形状（角形状でも可）の流通口３７を備える。注出筒３６は、流通口３７から取入れた内容液を案内して注出筒３６の上端の注ぎ口３６Ａから注ぎ出す。キャップ本体２１は、内筒部３３と注出筒３６の間の仕切り部３５上に環状の液回収部３８を形成し、注出筒３６の反注ぎ出し側に、該注出筒３６の液戻しスリット３９Ａと液回収部３８の液戻し口３９Ｂを互いに連続するように開設している。
【００１２】
内筒２３は、キャップ本体２１の外筒部３１と天面部３２と内筒部３３が囲む環状凹部に嵌合される円環状（角環状でも可）のフランジ部４１を有し、フランジ部４１の逆Ｕ字状断面がなす下向き凹部を容器本体１１の開口部１２の上縁部に嵌着し、フランジ部４１の逆Ｕ字状断面の内周壁に連続する円形断面状（角形断面状でも可）の側壁部４２を有する。内筒２３は、側壁部４２を容器本体１１の開口部１２の内壁面に沿わせて容器本体１１の内部の側に張り出るように下方に延ばし、側壁部４２の張り出し端に該側壁部４２を塞ぐ円形状（角形状でも可）の底部４３を設ける。底部４３は、容器１０の正立状態で、水平面状をなす底面４３Ａを備える。
【００１３】
しかるに、キャップ２０は、内筒２３の注ぎ出し側寄りで、側壁部４２の下縁部と底部４３の前縁部に挟まれる境界領域に流通口４４を開口する。流通口４４は、カバーキャップ２２を取外したキャップ本体２１及び内筒２３を表わす図１（Ｂ）に示す如く、底部４３の底面４３Ａと面一をなすことのない、異なる面上に設けられ、かつ容器１０の正立状態で、該流通口４４の最も注ぎ出し側寄りに位置することとなる、側壁部４２側の縁Ｐａを、底面４３Ａの側の縁Ｐｂよりも上位に位置付ける。
【００１４】
本発明において、「注ぎ出し側」とは、容器１０を注ぎ出しのために前傾する際の前側をいい、キャップ２０の中心軸Ａに対して注出筒３６の尖り状注ぎ口３６Ａの最上端Ｂが位置する側をいう。
【００１５】
本実施形態によれば以下の作用がある。
（請求項１に対応する作用）
▲１▼キャップ２０の内筒２３に設けられる流通口４４が底部４３の底面４３Ａと異なる面上に設けられるから、該内筒２３の中心軸を含んで注ぎ出し方向と平行をなす縦断面における上記流通口４４の開口幅を一定とするとき、該流通口４４が底部４３の底面４３Ａと同一面上に設けられるものに比して、該底部４３の底面４３Ａの注ぎ出し側へのせり出し量を大きくする。従って、液注出時に、容器本体１１を注ぎ出し側に向けて前傾させたとき、流通口４４に流れ込んでくる内容液に対する該底部４３の底面４３Ａによる遮蔽効果が大きくなり、液面側の流れを一部堰き止めてどっと出を防止し、安心して注出できる。
【００１６】
▲２▼液注出時のどっと出を上述▲１▼により防止できるから、流通口４４の開口面積を小とする必要がなく、注出流量を過小にすることがない。
【００１７】
▲３▼容器本体１１の正立状態で、流通口４４の側壁部４２の側の縁Ｐａを底部４３の側の縁Ｐｂよりも上位に位置付けた。従って、液注出時に、容器本体１１の残液量が少なくなってきて、容器本体１１を注ぎ出し側に向けて大きく前傾させたとき、注ぎ出し側の側壁部４２が流通口４４への残液の流れに対する邪魔にならず、残液の注ぎ出し性も向上し、容器１０の使い勝手を向上できる。
【００１８】
▲４▼前述▲１▼により液注出時のどっと出を防止できるから、流通口４４の開口面積を小さくする必要がなく、液詰替え時に広い注入領域を流通口４４に確保できる。また、容器本体１１の正立状態で、流通口４４の側壁部４２の側の縁Ｐａを底部４３の側の縁Ｐｂよりも上位に位置付けた。従って、詰替え容器から注入される詰替え液は内筒２３の底部４３の底面４３Ａに当たって方向変換された先を側壁部４２により邪魔されず、該側壁部４２の下の流通口４４から容器本体１１の内部へ直に流れ込むものになる。従って、詰替え容器から容器１０への詰替え液の注入のスムースを図り、詰替え液が容器１０の注出口４４から溢れて周辺汚損する等がなく、安心して注入でき、詰め替えの迅速を図ることができる。
【００１９】
（第２実施形態）（図２）
第２実施形態の容器５０が第１実施形態の容器１０と異なる点は、図２（Ａ）に示す如く、容器１０のキャップ２０における内筒２３を撤去し、キャップ２０のキャップ本体２１を構成している内筒部３３及び仕切り部３５の部分を、本発明の内筒５１としたことにある。
【００２０】
内筒５１は、キャップ本体２１の内筒部３３及び仕切り部３５の部分を側壁部５２とすることにより、側壁部５２を容器本体１１の開口部１２の内壁面に沿わせて容器本体１１の内部の側に張り出るように下方に延ばし、側壁部５２の注出筒３６を立設せしめる張り出し端に側壁部５２及び注出筒３６を塞ぐ円形状（角形状でも可）の底部５３を設ける。底部５３は容器１０の正立状態で、水平面状をなす底面５３Ａを備える。
【００２１】
そして、キャップ２０は、内筒５１の注ぎ出し側寄りで、側壁部５２と底部５３の境界領域に流通口５４を開口する。流通口５４は、カバーキャップ２２を取外したキャップ本体２１を表わす図２（Ｂ）に示す如く、底部５３の底面５３Ａと面一をなすことのない、異なる面上に設けられ、かつ容器１０の正立状態で、該流通口５４の最も注ぎ出し側寄りに位置することとなる、側壁部５２側の縁Ｐａを、底面５３Ａの側の縁Ｐｂよりも上位に位置付ける。
【００２２】
本実施形態によれば、第１実施形態におけると同様の作用がある。
（第３実施形態）（図３）
図３の容器６０が第１実施形態の容器１０と異なる点は、図３（Ａ）、（Ｂ）に示す如く、内筒２３における底部４３及び流通口４４の形状である。底部４３は、容器１０の正立状態で、前方下向き勾配状の底面４３Ａを備える。流通口４４は、底部４３の底面４３Ａと面一をなすことのない、異なる面上に設けられ、かつ容器１０の正立状態で、該流通口４４の最も注ぎ出し側寄りに位置することとなる、側壁部４２側の縁Ｐａを、底面４３Ａの側の縁Ｐｂよりも上位に位置付ける。尚、本実施形態において、流通口４４の側壁部４２側の縁Ｐａは、容器１０の正立状態で、底面４３Ａの側の縁Ｐｂより前方に位置している。
本実施形態によれば、第１実施形態におけると同様の作用がある。
【００２３】
（第４実施形態）（図４）
第４実施形態の容器７０が第３実施形態の容器６０と異なる点は、図４（Ａ）、（Ｂ）に示す如く、流通口４４の側壁部４２側の縁Ｐａが、容器１０の正立状態で、底面４３Ａの側の縁Ｐｂより前方に位置することのみにある。
本実施形態によれば、第１実施形態におけると同様の作用がある。
【００２４】
（第５実施形態）（図５）
第５実施形態の容器８０が第１実施形態の容器１０と異なる点は、図５（Ａ）、（Ｂ）に示す如く、内筒２３における底部４３及び流通口４４の形状にある。底部４３は、容器１０の正立状態で、水平面状をなす反注ぎ出し側の底面４３Ａと、前方下向き勾配状の注ぎ出し側の底面４３Ｂを備える。流通口４４は、底部４３の底面４３Ｂと面一をなすことのない、異なる面上に設けられ、かつ容器１０の正立状態で、該流通口４４の最も注ぎ出し側寄りに位置することとなる、側壁部４２側の縁Ｐａを、底面４３Ｂの側の縁Ｐｂよりも上位に位置付ける。
本実施形態によれば、第１実施形態におけると同様の作用がある。
【００２５】
【発明の効果】
本発明によれば、内容物の注出時に注出流量を過小にすることなく、どっと出を防止し、かつ内容液の詰め替え時の注入流量を大きくすることができる。
【図面の簡単な説明】
【図１】図１は第１実施形態の容器を示し、（Ａ）は要部断面図、（Ｂ）は内筒に設けた流通口の形状を示す模式図である。
【図２】図２は第２実施形態の容器を示し、（Ａ）は要部断面図、（Ｂ）は内筒に設けた流通口の形状を示す模式図である。
【図３】図３は第３実施形態の容器を示し、（Ａ）は要部断面図、（Ｂ）は内筒に設けた流通口の形状を示す模式図である。
【図４】図４は第４実施形態の容器を示し、（Ａ）は要部断面図、（Ｂ）は内筒に設けた流通口の形状を示す模式図である。
【図５】図５は第５実施形態の容器を示し、（Ａ）は要部断面図、（Ｂ）は内筒に設けた流通口の形状を示す模式図である。
【符号の説明】
１０、５０  容器
１１  容器本体
２０  キャップ
２３、５１  内筒
４２、５２  側壁部
４３、５３  底部
４４、５４  流通口
【図１】
2004210355.tif 000003
【図２】
2004210355.tif 000004
【図３】
2004210355.tif 000005
【図４】
2004210355.tif 000006
【図５】
2004210355.tif 000007